(57)【要約】【課題】  既設のコンテナターミナルに自動運転システムを導入する際、コンテナヤードのスペース効率を確保し、ヤードクレーンと構内シャシとの干渉を極力抑制できるようにしたコンテナヤードにおける設備の配置構造を提供する。【解決手段】  コンテナ船２とコンテナヤード６との間でコンテナ５を搬送するための岸壁回りルートを、外来シャシ７ｂとの間でコンテナ５の受け渡しのために搬送する受け渡しエリア回りルートの内側に配設する。これらルートの外側に、ヤードクレーン８の直角走行レーン６１を配設する。コンテナ船２との間でコンテナ５の荷役を行うための船荷レーン２６の端部に、構内シャシ７ａの前後を入れ替えるスイッチバックエリア３７を設ける。また、構内シャシ７ａの旋回時の内輪差を考慮して、旋回部に臨んだ部分に非蔵置部５ｂを配して、進入レーン２７と退出レーン２８を極力コンテナブロック５ａに接近させる。【選択図】        図１
2006282386.tif 000002
【特許請求の範囲】
【請求項１】
構内シャシの走行ルートであって、コンテナ船とコンテナの蔵置エリアとの間でコンテナを搬送する岸壁回りルートと、外来シャシに積み込み、積み卸しを行うための受け渡しエリアと前記蔵置エリアとの間でコンテナを搬送する受け渡しエリア回りルートとを配したコンテナヤードにおいて、
前記岸壁回りルートと受け渡しエリア回りルートのそれぞれの走行レーンであって、これら走行レーンが隣接して配設されている箇所では、前記岸壁回りルートをコンテナブロック側に配したことを特徴とするコンテナヤードにおける設備の配置構造。
【請求項２】
構内シャシの走行ルートであって、コンテナ船とコンテナの蔵置エリアとの間でコンテナを搬送する岸壁回りルートと、外来シャシに積み込み、積み卸しを行うための受け渡しエリアと前記蔵置エリアとの間でコンテナを搬送する受け渡しエリア回りルートとを配したコンテナヤードにおいて、
前記岸壁回りルートと受け渡しエリア回りルートのうちのコンテナブロック側に配したルートの、前記蔵置エリアに進入する旋回部と該蔵置エリアから退出する旋回部とのそれぞれに臨むコンテナブロックの角部に、コンテナを蔵置しない非蔵置部を設けたことを特徴とするコンテナヤードにおける設備の配置構造。
【請求項３】
構内シャシの走行ルートであって、コンテナ船とコンテナの蔵置エリアとの間でコンテナを搬送する岸壁回りルートと、外来シャシに積み込み、積み卸しを行うための受け渡しエリアと前記蔵置エリアとの間でコンテナを搬送する受け渡しエリア回りルートとを配したコンテナヤードにおいて、
コンテナブロックに蔵置されるコンテナの長さに異なるものがある場合に、該コンテナブロックの端部に蔵置するコンテナを最も長いものとして、構内シャシに対して該コンテナの積み込み、積み卸しに供される荷役機械が該コンテナの側方に突出することを防止することにより、前記岸壁回りルートまたは受け渡し回りルートを形成する走行レーンをコンテナブロックに接近させて配したことを特徴とするコンテナヤードにおける設備の配置構造。
【請求項４】
構内シャシの走行ルートであって、コンテナ船とコンテナの蔵置エリアとの間でコンテナを搬送する岸壁回りルートと、外来シャシに積み込み、積み卸しを行うための受け渡しエリアと前記蔵置エリアとの間でコンテナを搬送する受け渡しエリア回りルートとを配したコンテナヤードにおいて、
前記岸壁回りルートまたは受け渡しエリア回りルートのいずれか一方または双方の一部に、構内シャシの方向転換を行うスイッチバックエリアを配したことを特徴とするコンテナヤードにおける設備の配置構造。
【請求項５】
構内シャシの走行ルートであって、コンテナ船とコンテナの蔵置エリアとの間でコンテナを搬送する岸壁回りルートと、外来シャシに積み込み、積み卸しを行うための受け渡しエリアと前記蔵置エリアとの間でコンテナを搬送する受け渡しエリア回りルートとを配したコンテナヤードにおいて、
前記蔵置エリアで、構内シャシに対してコンテナの積み込み、積み卸しに供される荷役機械の直角走行レーンを、前記岸壁回りルートと受け渡しエリア回りルートとを挟んでコンテナブロックと反対側に配したことを特徴とするコンテナヤードにおける設備の配置構造。
【請求項６】
前記構内シャシが、無人搬送台車であることを特徴とする請求項１ないし請求項５のいずれかに記載のコンテナヤードにおける設備の配置構造。
【発明の詳細な説明】
【技術分野】
【０００１】  この発明は、コンテナターミナルの、コンテナヤードの敷地を有効に利用できると共に、コンテナヤード内を走行するシャシや荷役機械の干渉を低減した、該コンテナヤードにおける各設備、特にコンテナヤード内でコンテナを搬送するシャシの走行軌道等の設備の配置構造に関する。
【背景技術】
【０００２】  コンテナターミナルは海上輸送と陸上輸送との異種輸送手段間の接点となる施設で、これら異種輸送手段間でコンテナの積み込み、積み卸し等を行うことを主たる機能としている。このため、積み込み、積み卸しに待機するコンテナを一時的に保管するコンテナヤードを備えている。すなわち、コンテナヤードには、岸壁に接岸したコンテナ船に積み込むための、またはコンテナ船から積み卸しされた、及び陸上輸送のシャシに積み込むための、またはシャシから積み卸しされたコンテナが保管されている。【０００３】  ところで、コンテナヤードにおけるコンテナの積み込み、積み卸しのためのコンテナ荷役作業の合理化を図るために、コンテナターミナルにおける省人化あるいは無人化運転システムが開発されている。これは、コンテナ船へのコンテナの積み込みと、コンテナ船からコンテナを積み卸しするための岸壁用クレーンや、コンテナヤード内を走行してコンテナを蔵置位置まで搬送し、あるいは蔵置位置にあるコンテナをコンテナ船や陸上輸送のシャシまで搬送する構内シャシ、構内シャシに蔵置位置にあるコンテナを積み込み、構内シャシからコンテナの積み卸しを行うためのヤードクレーン等を自動運転または遠隔操作によって運転することにより、コンテナヤードの無人化を図ろうとするシステムである。【０００４】  斯かる省人化や無人化、コンテナヤードの運用計画の自動化等の推進、効率向上を目的として、外部車両のコンテナヤード内への進入を防止するようにしたコンテナターミナルシステムが提案されている（特許文献１）。このコンテナターミナルシステムは、船舶に対するコンテナ荷役を行うコンテナクレーンと、コンテナを積上げて保管可能なコンテナヤードとを有し、船舶と陸上運搬車両との間でコンテナを取扱うコンテナターミナルシステムにおいて、コンテナヤード内を走行可能で、門形のメインフレームを備え、自動運転または手動運転によってコンテナの積降ろしを行う複数のトランスファクレーンと、コンテナクレーンとトランスファクレーンとの間、およびコンテナヤード内での平面的なコンテナの移動を自動運転によって行うＡＧＶと、コンテナヤードと外部との境界付近に設置され、コンテナヤード内のＡＧＶと外部の陸上運搬車両との間で、コンテナの受渡しを手動操作または部分的自動運転によって行う受渡しクレーンと、コンテナヤードと陸上運搬車両が走行可能な外部との間の境界に設けられる境界表示物とを含む構成とされたものである。【０００５】  他方、コンテナターミナルは広大な敷地に設けられる施設であるが、その敷地面積を有効に活用することが要求され、例えば、特許文献２には、コンテナ立体貯蔵建屋を設ける必要をなくしコストダウンを図ると共に、搬送台車の軌道を曲げずにスペースの利用効率を図るコンテナターミナルが提案されている。このコンテナターミナルは、コンテナが複数段に積み重ねられて配置されるコンテナヤードと、コンテナ船にコンテナを積み下ろし可能なコンテナクレーンと、海側走行レールと海側横行レールに沿って移動可能で、コンテナクレーンとの間でコンテナを受け渡し可能な海側搬送台車と、陸側走行レールと陸側横行レールに沿って移動可能な陸側搬送台車と、陸側搬送台車とシャ���シとの間でコンテナを移載する移載機と、海側搬送台車並びに陸側搬送台車との間でコンテナを受け渡し可能で且つヤード横行レール間にコンテナを複数段に積み重ねて配置可能な門型のトランスファクレーンとを備える構成とされたものである。【０００６】
【特許文献１】特許第２８９２６０６号
【特許文献２】特開平１１−０７９４０９
【発明の開示】
【発明が解決しようとする課題】
【０００７】  コンテナヤード内を無人化する場合には、コンテナヤード内では構内シャシとして無人搬送台車（ＡＧＶ：Ａｕｔｏｍａｔｅｄ  Ｇｕｉｄｅｄ  Ｖｅｈｉｃｌｅ）が走行してコンテナを搬送することになり、該無人搬送台車の走行に支障がないよう、特許文献１に開示されているように、外来シャシは勿論、作業員等がコンテナヤードに進入できないようにする必要がある。また、無人搬送台車が、コンテナヤードを走行するヤードクレーンの走行路へ不用意に進入しないように、該無人搬送台車とヤードクレーンの走行路とが分離されて配置される必要がある。【０００８】  コンテナターミナルを新設する場合には、当初の計画から走行路を分離させる構造とすることは可能である。しかしながら、既設のコンテナターミナルに無人化システムを導入しようとする場合には、これらの走行路の分離を図るとすると導入コストが増大してしまうおそれがあるから、完全な分離を図れず、極力これら無人搬送台車とヤードクレーンとの干渉を回避するものとなる。このため、既存施設に無人化システムを導入したコンテナターミナルでは、スペース効率が低下してしまうおそれがある。【０００９】  そこで、この発明は、新設であっても、既設のコンテナターミナルに無人化システムを導入する場合であっても、低コストでスペース効率を良好にして、無人搬送台車からなる構内シャシとヤードクレーン等との干渉を極力回避できるようにしたコンテナヤードにおける設備の配置構造を提供することを目的としている。
【課題を解決するための手段】
【００１０】  前記目的を達成するための技術的手段として、請求項１の発明に係るコンテナヤードにおける設備の配置構造は、構内シャシの走行ルートであって、コンテナ船とコンテナの蔵置エリアとの間でコンテナを搬送する岸壁回りルートと、外来シャシに積み込み、積み卸しを行うための受け渡しエリアと前記蔵置エリアとの間でコンテナを搬送する受け渡しエリア回りルートとを配したコンテナヤードにおいて、前記岸壁回りルートと受け渡しエリア回りルートのそれぞれの走行レーンであって、これら走行レーンが隣接して配設されている箇所では、前記岸壁回りルートをコンテナブロック側に配したことを特徴としている。【００１１】  コンテナヤードの蔵置エリアにコンテナを積み込み、積み卸しのためには、構内シャシはコンテナブロックに沿った位置になければならないが、この位置には蔵置レーンによって案内される。この蔵置レーンに対しては、前記岸壁回りルートと受け渡しエリア回りルートのいずれからも進入でき、退出できるようになっている。また、構内シャシに無人搬送台車が用いられる場合には、互いに干渉しないように、これらのルートは一方通行とされる必要がある。他方、前記蔵置レーンに進入するための進入レーンと蔵置レーンから退出するための退出レーンは、岸壁回りルートではコンテナ船に沿った船荷レーンに、受け渡し回りルートでは受け渡しレーンに続いており、且つ、蔵置レーンから退出する場合には岸壁回りルートと受け渡しエリア回りルートのいずれかを選択して進むことができるように配されている。【００１２】  そして、前記進入レーンと退出レーンは、岸壁回りルートと受け渡しエリア回りルートのそれぞれが配されているから、それぞれ２本ずつのレーンが平行に配されることになる。この２本のレーンのうちの岸壁回りルートをコンテナブロック側に配したものである。コンテナターミナルはコンテナ船のスケジュールに基づいて運用されており、該コンテナ船との関係でコンテナを搬送して荷役する本船荷役が、外来シャシとの関係でコンテナを搬送して荷役する受け渡し荷役に対して優先される。そこで、本船荷役に係る岸壁回りルートをコンテナブロック側としたものである。これにより、蔵置レーンに進入し、蔵置レーンから退出する場合に構内シャシが他の走行レーンを横切ることがなくなり、本船荷役のための構内シャシが優先されることになって、本船荷役が優先される。【００１３】  また、請求項２の発明に係るコンテナヤードにおける設備の配置構造は、構内シャシの走行ルートであって、コンテナ船とコンテナの蔵置エリアとの間でコンテナを搬送する岸壁回りルートと、外来シャシに積み込み、積み卸しを行うための受け渡しエリアと前記蔵置エリアとの間でコンテナを搬送する受け渡しエリア回りルートとを配したコンテナヤードにおいて、前記岸壁回りルートと受け渡しエリア回りルートのうちのコンテナブロック側に配したルートの、前記蔵置エリアに進入する旋回部と該蔵置エリアから退出する旋回部とのそれぞれに臨むコンテナブロックの角部に、コンテナを蔵置しない非蔵置部を設けたことを特徴としている。【００１４】  コンテナヤードのスペースを有効に利用するためには、コンテナブロックと構内シャシの��行レーンとを極力接近させることが好ましい。走行レーンを接近させた場合、コンテナブロックに対して回り込む部分では、構内シャシの内輪差により後輪が旋回中心側に偏倚するから、構内シャシがコンテナに接触するおそれが生じる。そこで、接触するおそれのある位置にコンテナを蔵置しないようにしたものである。【００１５】  また、請求項３の発明に係るコンテナヤードにおける設備の配置構造は、構内シャシの走行ルートであって、コンテナ船とコンテナの蔵置エリアとの間でコンテナを搬送する岸壁回りルートと、外来シャシに積み込み、積み卸しを行うための受け渡しエリアと前記蔵置エリアとの間でコンテナを搬送する受け渡しエリア回りルートとを配したコンテナヤードにおいて、コンテナブロックに蔵置されるコンテナの長さに異なるものがある場合に、該コンテナブロックの端部に蔵置するコンテナを最も長いものとして、構内シャシに対して該コンテナの積み込み、積み卸しに供される荷役機械が該コンテナの側方に突出することを防止することにより、前記岸壁回りルートまたは受け渡し回りルートを形成する走行レーンをコンテナブロックに接近させて配したことを特徴としている。【００１６】  構内シャシに対してコンテナの積み込み、積み卸しの荷役作業に供される荷役機械、例えば橋形のヤードクレーンは、構内シャシとコンテナブロックとを跨いだ状態に位置して作業を行う。このとき、コンテナの長さが短いものであると、ヤードクレーンの長さ方向の端部が、コンテナの長手方向の側壁よりも突出して位置することになる場合がある。このため、コンテナブロックの端部に短いコンテナを配すると、該コンテナに対して荷役作業を行う場合には、ヤードクレーンの一部がコンテナの側方に突出し、該突出した部分には構内シャシの走行レーンを配することができない。したがって、荷役作業時に荷役機械の一部が突出しない長さのコンテナをコンテナブロックの端部に配するようにしたものである。【００１７】  また、請求項４の発明に係るコンテナヤードにおける設備の配置構造は、構内シャシの走行ルートであって、コンテナ船とコンテナの蔵置エリアとの間でコンテナを搬送する岸壁回りルートと、外来シャシに積み込み、積み卸しを行うための受け渡しエリアと前記蔵置エリアとの間でコンテナを搬送する受け渡しエリア回りルートとを配したコンテナヤードにおいて、前記岸壁回りルートまたは受け渡しエリア回りルートのいずれか一方または双方の一部に、構内シャシの方向転換を行うスイッチバックエリアを配したことを特徴としている。【００１８】  コンテナ船に積み込まれたコンテナの殆どは、扉体を船尾側にして配されている。これは、航行中に海水の飛沫が船首側からコンテナに衝突するから、扉体を船尾側に向けてコンテナ内に浸水しないようにしたものである。他方、コンテナの中には、例えば、冷凍貨物を収容しているいわゆる冷凍コンテナがある。この冷凍コンテナには、冷凍装置に浸水しては不都合であるから、冷凍装置を船尾側に向けて、すなわち扉体を船首側に向けて配されているものがある。すなわち、コンテナ船に積み込まれたコンテナの扉体が向いている方向は一定ではない。これらのコンテナを外来シャシに積み込む場合には、扉体の開閉のため、扉体を後方に向けることが要求される。このため、構内シャシから外来シャシへコンテナを移載する際に、構内シャシと外来シャシの走行方向がそれぞれ一定である場合には、該コンテナを蔵置した状態で、特別に要求されるコンテナでない限り、一定の方向に扉体が向いていることが好ましい。なお、特別に要求されるコンテナとは、例えば冷凍コンテナのように電源を必要とする場合があって、該電源の位置に応じた方向で蔵置しなければならない場合等である。外来シャシに積み込まれてコンテナターミナルに搬入されるコンテナにおいても、蔵置エリアでの方向が制限される場合がある。【００１９】  すなわち、扉体の方向が一定でない状態でコンテナ船に積み込まれているコンテナを、蔵置エリアにおいては一定の方向に向ける必要が生じる。あるいは、搬入されたコンテナの方向を所定の方向として蔵置しなければならない場合が生じる。このため、スイッチバックエリアを設けて、構内シャシの前後の向きを入れ替えることで、コンテナの方向を変えることができるようにしたものである。このスイッチバックエリアは、他の構内シャシの走行に支障がない位置に配設することが好ましく、例えば、岸壁回りルートの一部であって、岸壁に平行に配された船荷レーンと、海陸方向に配された進入レーンまたは退出レーンとの交差部のいずれか一方または双方や、受け渡しエリア回りルートの一部であって、受け渡しエリアに平行に配された受け渡しレーンと、海陸方向に配された進入レーンまたは退出レーンとの交差部のいずれか一方または双方など、その他適宜な位置に設けることができる。【００２０】  また、請求項５の発明に係るコンテナヤードにおける設備の配置構造は、構内シャシの走行ルートであって、コンテナ船とコンテナの蔵置エリアとの間でコンテナを搬送する岸壁回りルートと、外来シャシに積み込み、積み卸しを行うための受け渡しエリアと前記蔵置エリアとの間でコンテナを搬送する受け渡しエリア回りルートとを配したコンテナヤードにおいて、前記蔵置エリアで、構内シャシに対してコンテナの積み込み、積み卸しに供される荷役機械の直角走行レーンを、前記岸壁回りルートと受け渡しエリア回りルートとを挟んでコンテナブロックと反対側に配したことを特徴としている。【００２１】  ヤードクレーンがコンテナブロックの列を変更する場合には、該コンテナブロックの長手方向と直交する方向の直角走行レーンを移動する。このため、この移動中に構内シャシの走行レーンを横切る必要が生じる場合がある。また、直角走行レーンを移動中のヤードクレーンが、構内シャシの走行の障害となってしまうおそれがある。このため、ヤードクレーンの直角走行レーンであってコンテナブロック列の端部側に配した直角走行レーンを、構内シャシの走行レーンよりも外側に配したものである。【００２２】  また、請求項６の発明に係るコンテナヤードにおける設備の配置構造は、前記構内シャシが、無人搬送台車であることを特徴としている。【００２３】  すなわち、前記構内シャシとしては、運転者が乗車する有人のものでも、またＡＧＶ等の無人のものであっても構わない。特に、無人搬送台車の場合には、前述したように、各ルートを一方通行で走行するか��、ヤードクレーン等の荷役機械と干渉する機会が増加する。このため、無人搬送台車を用いた場合に、該干渉の機会を減じたこの配置構造を採用することは有効である。
【発明の効果】
【００２４】  請求項１の発明に係るコンテナヤードにおける設備の配置構造によれば、本船荷役に供せられる構内シャシが、他の構内シャシやヤードクレーン等と干渉する機会が減じられて、本船荷役が優先され、コンテナターミナルの円滑な運用を図ることができる。【００２５】  また、請求項２の発明に係るコンテナヤードにおける設備の配置構造によれば、構内シャシの走行レーンを極力コンテナブロックに接近させて配設できるから、コンテナヤードのスペース効率を高めて、より多くのコンテナを蔵置させることができる。【００２６】  また、請求項３の発明に係るコンテナヤードにおける設備の配置構造によれば、ヤードクレーンでコンテナを吊り下げる荷役作業中に、該ヤードクレーンの一部がコンテナブロックの側方に突出しない。このため、走行レーンをコンテナブロックの列の端部に極力接近させて配設することができ、コンテナの蔵置スペースを広くすることができる。【００２７】  また、請求項４の発明に係るコンテナヤードにおける設備の配置構造によれば、コンテナ船に積み込まれたコンテナの向きがいずれであっても、コンテナヤードにおいては、所定の方向にすることができ、外来シャシに引き渡されたコンテナの扉体の向きを該外来シャシの後方側にすることができる。【００２８】  また、請求項５の発明に係るコンテナヤードにおける設備の配置構造によれば、ヤードクレーンが直角走行レーンを走行中であっても構内シャシの走行に支障が生ぜず、コンテやヤードでの荷役作業の効率が損なわれることがない。【００２９】  また、請求項６の発明に係るコンテナヤードにおける設備の配置構造によれば、コンテナターミナルの省人化や無人化を促進することができる。
【発明を実施するための最良の形態】
【００３０】  以下、図示した好ましい実施の形態に基づいて、この発明に係るコンテナヤードにおける設備の配置構造を具体的に説明する。【００３１】  図３は、この発明に係る設備の配置構造によるコンテナヤードを備えたコンテナターミナルの一例を示すもので、概略の平面図である。コンテナ船２が岸壁３に係留され、岸壁用クレーン４によってコンテナ５の積み込みと積み卸しが行われる。岸壁３はコンテナヤード６の縁部に配されており、コンテナ船２に積み込み、積み卸しされるコンテナ５はこのコンテナヤード６の蔵置エリア６ａに蔵置されて保管される。コンテナ５は適宜個数が行列状に積まれてコンテナブロック５ａとされ、蔵置エリア６ａには該コンテナブロック５ａが適宜数ずつ行列状に配されている。なお、本実施形態の説明上、コンテナブロック５ａの各列に対して、陸側のものから順にＢ〜Ｈの符号を付してある。コンテナ５を、蔵置エリア６ａ内で移動させるには、専用の構内シャシ７ａが用いられ、コンテナターミナル１と荷主との間の陸送には外来シャシ７ｂが用いられる。そして、この構内シャシ７ａには、無人搬送台車（ＡＧＶ）が用いられている。この構内シャシ７ａにコンテナ５を積み込み、積み卸すにはヤードクレーン８が用いられる。図３に示すヤードクレーン８は橋形クレーンで、図４に示すように、コンテナブロック５ａと該コンテナブロック５ａの側方に停止した構内シャシ７ａとを跨ぐ状態に位置して、コンテナ５の積み込み、積み卸しを行う。なお、ヤードクレーン８は、コンテナブロック５ａに沿った走行方向の移動と、隣接するコンテナブロック５ａへ移動するためにコンテナブロック５ａとコンテナブロック５ａとの間と、コンテナブロック５ａの列Ｂ〜Ｈの側方に設けられた直角走行レーン６１に沿った直角方向の移動とを行うことができる。【００３２】  前記外来シャシ７ｂは、入口ゲートＧｉからコンテナターミナル１に入構し、出口ゲートＧｏまたはサブゲートＧｓから退構する。これは、輸入貨物が収容された実入りのコンテナ５が積み込まれた外来シャシ７ｂは、保税関係の手続を出口ゲートＧｏで行った後に搬出する必要があり、空のコンテナ５が積み込まれた外来シャシ７ｂあるいはコンテナ５を積み込んでいない空の外来シャシ７ｂは保税手続を行う必要がないからサブゲートＧｓから退構するようにしたものである。前記入口ゲートＧｉの側方には管理棟９やガードマン詰め所１０、事務棟１１等の建物が配されている。また、入口ゲートＧｉを挟んで管理棟９の反対側には空のコンテナ５が保管される空バンプール１２や修理場１３、水洗場１４が配置されている。なお、これらゲートＧの設置状況やゲートＧの周辺の各設備はこれらのものに限定されるものではなく、コンテナヤードの運用システム等に応じてゲートＧの設置状況や必要となる設備が異なることは勿論である。【００３３】  そして、外来シャシ７ｂが、構内シャシ７ａが走行しているコンテナヤード６の蔵置エリア６ａに進入できないように、ゲートＧから入構した外来シャシ７ｂが必要十分に移動できる領域を確保する位置に、フェンス２０が設置されている。前記構内シャシ７ａは該フェンス２０よりも海側、すなわち内側の蔵置エリア６ａでコンテナ５の荷役���業に供され、外来シャシ７ｂは該フェンス２０よりもゲートＧ側、すなわち外側の受け渡しエリア６ｂでコンテナ５の積み込み、積み卸しに供される。そして、このフェンス２０を挟んで、構内シャシ７ａと外来シャシ７ｂとの間でコンテナ５の積み替えを行うスイッチングエリア２１が設けられている。なお、フェンス２０の端部等の適宜位置には、開閉可能なフェンスゲート２０ａが設けられている。【００３４】  前記スイッチングエリア２１の、図３において左端から適宜範囲までが搬入エリア２１ｉとされて、外来シャシ７ｂがコンテナヤード６に搬入するために搬送してきたコンテナ５を一時的に仮置きできるようにしてある。また、この搬入エリア２１ｉの端部から右端までを搬出エリア２１ｏとしてある。これら搬入エリア２１ｉと搬出エリア２１ｏとの位置関係は、構内シャシ７ａの進行方向の前方側に搬入エリア２１ｉが、後方側に搬出エリア２１ｏが位置している。このため、搬出エリア２１ｏでコンテナ５を積み卸しした構内シャシ７ａが、その後搬入エリア２１ｉで搬入されたコンテナ５を積み込むことができる。なお、搬入エリア２１ｉと搬出エリア２１ｏとの間に緩衝帯部２２が設けられて、これらのエリア２１ｉ、２１ｏが区画されている。この緩衝帯部２２は搬入エリア２１ｉと搬出エリア２１ｏとの境を明確にできるように設けるものであり、これらのエリア２１ｉ、２１ｏの区画が明確であれば必ずしも設ける必要はない。また、この緩衝帯部２２を設けることによって、搬出エリア２貫と搬出エリア２１０のコンテナ５の数が増減した場合に、搬出用のコンテナ５と搬入用のコンテナ５のいずれをも該緩衝帯部２２に仮置きでき、コンテナ５の蔵置面積の変更を簡便に行うことができる。なお、蔵置面積が変更された場合には、該緩衝帯部２２の位置も変更される。【００３５】  さらに、前記フェンス２０の両端部には、コンテナヤード６の蔵置エリア６ａに向けて伸張させると共に、岸壁３に沿って配された周回フェンス２５が設けられ、この周回フェンス２５の外側を外来シャシ７ｂや有人の構内シャシ７ａなど運転者により運転される有人シャシが走行できるようにしてある。このため、コンテナ５を外来シャシ７ｂから直接コンテナ船２に積み込み、またはコンテナ船２からコンテナ５を直接外来シャシ７ｂに積み卸しできるようにして、緊急時等に対処できる。なお、このときにコンテナ５の積み込み、積み卸しには前記岸壁用クレーン４が用いられる。【００３６】  前記スイッチングエリア２１には受け渡しクレーン２３が配されており、スイッチングエリア２１に対するコンテナ５の積み込み、積み卸しを行う。この受け渡しクレーン２３は、コンテナヤード６に配されたヤードクレーン８と同一のものが好ましい。図４に、コンテナヤード６において荷役作業に供されるタイヤ式橋形のヤードクレーン８の正面を示している。このタイヤ式橋形のヤードクレーン８は、下部にタイヤ８ａを有する左右二対の脚８ｂ、すなわち、４本の脚８ｂが備えられており、これらの左右の脚８ｂのそれぞれの上端部に一対の桁８ｃが平行に掛け渡されている。これら一対の桁８ｃに案内されてトロリ８ｄが、図４において左右方向である横行方向に移動自在となり、積み付けられた���ンテナ５のブロック５ａと該ブロック５ａの一側方に停止した構内シャシ７ａとを跨いだ状態で、トロリ８ｄで吊り下げて、コンテナ５をシャシ７に積み付けまたは積み卸しを行う。コンテナ５は、トロリ８ｄによって昇降されるスプレッダ８ｅで保持されて吊り上げられる。また、トロリ８ｄと共に操作者が搭乗する運転室８ｆも移動し、該操作者がトロリ８ｄの操作を行う。なお、該ヤードクレーン８を無人運転とする場合には、操作者は搭乗せず、自動運転または遠隔操作によって運転される。【００３７】  前記ヤードクレーン８は、前述したように、コンテナブロック５ａを跨いだ状態で該コンテナブロック５ａに沿った方向、すなわち図４において紙面を貫く方向となる走行方向の移動と、一のコンテナブロック５ａから隣接された他のコンテナブロック５ａへ移動するために、前記直角走行レーン６１に沿った方向、すなわち図４において左右方向となる直角走行方向の移動とを行える。このため、前記タイヤ８ａは、その回転軸が鉛直方向の軸を中心として回動可能とされており、この回転軸の方向を変更することにより、移動方向を変更できるようにしてある。【００３８】  図１は、図３に示すコンテナヤード６を示したもので、その蔵置エリア６ａを走行する構内シャシ７ａの走行軌道を示している。構内シャシ７ａはコンテナ５を、コンテナ船２と蔵置エリア６ａとの間（この間の走行軌道を「岸壁回りルート」と称する。）、及び蔵置エリア６ａとスイッチングエリア２１との間（この間の走行軌道を「受け渡しエリア回りルート」と称する。）で搬送する。蔵置エリア６ａにおけるコンテナ５の積み込み、積み卸しのためには、それぞれのコンテナブロック５ａのＢ〜Ｈ列の間に配された蔵置レーン３１を蔵置位置まで走行する。このため、岸壁回りルートと受け渡しエリア回りルートとに、該蔵置レーン３１は共通とされている。岸壁回りルートは、岸壁３に沿って配設された船荷レーン２６とコンテナブロック５ａのＢ〜Ｈ列の、図１において左側を通る海陸方向に沿った進入レーン２７と、同じく右側を通る海陸方向に沿った退出レーン２８とからなる。また、受け渡しエリア回りルートは、前記スイッチングエリア２１に沿って配設された受け渡しレーン３２とコンテナブロック５ａのＢ〜Ｈ列の、図１において左側を通る海陸方向に沿った進入レーン３３と、同じく右側を通る海陸方向に沿った退出レーン３４とからなる。前記蔵置レーン３１は前記進入レーン２７、３３のそれぞれと退出レーン２８、３４のそれぞれとに接続されている。また、この実施形態では２本の受け渡しレーン３２が設けられて、一方の受け渡しレーン３２においてコンテナ５の移載作業が行われている場合には、他の受け渡しレーン３２を走行することができるようにしてある。【００３９】  この実施形態では、コンテナ船２が左舷接岸とされているため、構内シャシ７ａは前記船荷レーン２６を図１において右側から左側に一方通行で走行する。また、受け渡しレーン３２では、構内シャシ７ａは図１において、右側から左側に一方通行で走行する。このため、岸壁回りルートでは、構内シャシ７ａは船荷レーン２６から進入レーン２７、蔵置レーン３１、退出レーン２８を通って船荷レーン２６に戻ること���できる。また、受け渡しエリア回りルートでは、構内シャシ７ａは受け渡しレーン３２から進入レーン３３、蔵置レーン３１、退出レーン３４を通って受け渡しレーン３２に戻ることができる。さらに、蔵置レーン３１を走行した構内シャシ７ａは、退出レーン２８と退出レーン３４のいずれか一方へ進むことができる。したがって、例えば岸壁回りルートから蔵置レーン３１に進入した構内シャシ７ａがその後に受け渡しエリア回りルート３２に進むことができる。そして、海陸方向に沿った前記進入レーン２７、３３と退出レーン２８、３３はいずれも、岸壁回りルートのレーン２７、２８をコンテナブロック５ａに近い側にして配設されている。このため、岸壁回りルートを走行する構内シャシが蔵置レーン３１に進入し、蔵置レーン３１から退出する際に、他の走行レーンを横切ることがない。【００４０】  そして、図１及び図２に示すように、コンテナブロック５ａの角部であって、進入レーン２７から蔵置レーン３１に進む際に構内シャシ７ａが旋回する部分と、蔵置レーン３１から退出レーン２８に進む際に構内シャシ７ａが旋回する部分のそれぞれに臨む部分には、図２上想像線で示すように、コンテナ５を蔵置しない非蔵置部５ｂが設けられている。また、コンテナターミナル１において扱われるコンテナ５の寸法には、長手方向の長さが異なる数種のものがあり、そのうちの最も長いコンテナ５をコンテナブロック５ａの端部に蔵置させてある。例えば、コンテナ５の長さとして２０フィートと４０フィートのものがあり、これらを扱うコンテナターミナル１では、４０フィートのコンテナ５をコンテナブロック５ａの端部に蔵置するようにしたものである。これは、２０フィートのコンテナ５をヤードクレーン８で荷役する場合には、ヤードクレーン８の一部が該コンテナ５の端部よりも側方に突出してしまい、この突出した部分には構内シャシ７ａの前記進入レーン２７や退出レーン２８を配することができず、これらのレーン２７、２８をコンテナブロック５ａに十分に接近させることができなくなるためである。【００４１】  さらに、前記直角走行レーン６１であって、コンテナブロック５ａの列Ｂ〜Ｈの端部に沿って配されたものは、図１に示すように、進入レーン２７と退出レーン３３を挟んでコンテナブロック５ａの反対側と、退出レーン２８及び進入レーン３４を挟んでコンテナブロック５ａの反対側、すなわちいずれも最も外側となる位置に配設されている。【００４２】  また、コンテナヤード６において他のコンテナ５と同じ方向に扉体を向ける必要があり、このために構内シャシ７ａの前後を交換するスイッチバックエリア３７が配設されている。このスイッチバックエリア３７は、前記船荷レーン２６と進入レーン２７または退出レーン２８との分岐部の双方に設けられており、船荷レーン２６をこれら進入レーン２６及び退出レーン２８との分岐部よりもさらに伸長させた反転エリア３７ａが設けられている。船荷レーン２６からは、この反転エリア３７ａと進入レーン２７のいずれにも進むことができ、該反転エリア３７ａから進入レーン２７に進むことができるようにしてある。また、退出レーン２８からは船荷レーン２６と反転エリア３７ａのいずれにも進むことができ���反転エリア３７ａからは船荷レーン２６に進むことができるようにしてある。なお、スイッチバックエリア３７は、構内シャシ７ａに支障を生じない位置であれば、他の位置に設けても構わない。さらに、必要に応じて、受け渡し回りルートの一部にもスイッチバックエリアを設けてもよく、その場合には、例えば、搬入されたコンテナ５の向きを反転させることができる。【００４３】  また、図１に示すように、前記スイッチングエリア２１であって、受け渡しエリア６ｂ側には外来シャシ７ｂが整列して並ぶことができる待機列エリア２１ａが設けられており、コンテナ５を荷受けするためにコンテナターミナル１に入構した外来シャシ７ｂはこの待機列エリア２１ａに並ぶようにしてある。【００４４】  前記受け渡しクレーン２３には、図３に示すように、橋形のクレーンが用いられており、前述したヤードクレーン８と同一のものが好ましい。この受け渡しクレーン２３によって、構内シャシ７ａと外来シャシ７ｂとの間でコンテナ５の移載を行う。【００４５】  以上により構成されたこの発明のコンテナヤードにおける設備の配置構造の作用を、以下に説明する。【００４６】  コンテナ船２に対してコンテナ５の積み込み、積み卸しを行う場合には、構内シャシ７ａは船荷レーン２６を走行し、該コンテナ５の積み込みまたは積み卸しをすべき所定の位置で停止し、前記岸壁用クレーン４によって該コンテナ５の積み込みまたは積み卸しが行われる。図３に示すように、コンテナ船２が左舷接岸の場合には、構内シャシ７ａは、図１及び図３において、右方向から左方向へ走行する。コンテナ５を積み込んだ構内シャシ７ａは、船荷レーン２６から前記進入レーン２７に入り、該コンテナ５を蔵置すべき指定された蔵置位置のある蔵置レーン３１に進むことになる。進入レーン２７から蔵置レーン３１に進入する際には、図２に示すように、構内シャシ７ａが旋回することになる。この旋回時には、内輪差によって構内シャシ７ａがコンテナブロック５ａに近づいた位置を通過することになるが、旋回部を臨む部分には非蔵置部５ｂが設けられて、コンテナ５が蔵置されていないため、構内シャシ７ａをその内輪差によって該非蔵置位置５ｂに突出させて旋回させることができる。したがって、進入レーン２７と蔵置レーン３１とをコンテナブロック５ａに極力接近させて配設することができ、コンテナ５の蔵置エリア６ｂを広げることができる。【００４７】  コンテナ船２に積み込まれた冷凍コンテナ５を蔵置位置まで搬送する場合には、コンテナ船２に積み込まれた際の該冷凍コンテナ５の扉体の方向が、他のコンテナ５の扉体の方向と反対の方向となる場合がある。構内シャシ７ａが船荷レーン２６を走行する際には、他のコンテナ５の扉体の方向に合わせた方向に走行するから、該構内シャシ７ａに冷凍コンテナ５を積み込むと、扉体が該構内シャシ７ａの進行方向を向くことになる。この状態で冷凍コンテナ５を蔵置エリア６ａに蔵置すると、扉体の向きが他のコンテナ５と反対となり、これを前記受け渡しエリア６ｂが外来シャシ７ｂに引き渡すと、該外来シャシ７ｂの前方に扉体が向いてしまい不都合となる。そこで、前記スイッチングエリア３７を用いて構内シャシ７ａの前後を入れ替える。すなわち、冷凍コンテナ５をコンテナ船２から移載された構内シャシ７ａは、進入レーン２７に進む際にスイッチングエリア３７の反転エリア３７ａを経由して進入レーン２７に進むようにする。これにより、該構内シャシ７ａの前後が入れ替わり、それまでの後側が前側となって走行することになるから、冷凍コンテナ５の扉体の向きが他のコンテナ５と同じとなり、蔵置エリア６ａに蔵置された状態で他のコンテナ５と同じ向きに扉体の方向を揃えることができる。したがって、外来シャシ７ｂに積み込まれた状態で、扉体が後方を向くようになって、該扉体の開閉に支障が生じない。なお、例えば冷凍コンテナ５の電源を確保する等の場合のように、蔵置エリア６ａにおいても他のコンテナ５と反対方向に蔵置する必要があるコンテナ５については、構内シャシ７ａを反転させないで搬送する。【００４８】  他方、蔵置位置に蔵置されている冷凍コンテナ５をコンテナ船２に搬送する場合には、退出レーン２８から船荷レーン２６に進む際にスイッチバックエリア３７の反転エリア３７ａを経由する。すなわち、退出レーン２８から反転エリア３７ａに進入して船荷レーン２６に進むことにより、構内シャシ７ａの前後が入れ替わるから、冷凍コンテナ５の扉体の向きを他のコンテナ５を反対にすることができ、コンテナ船２に積み込まれた際には、冷凍装置に海水の飛沫がかからないようになる。【００４９】  前記ヤードクレーン８が、コンテナブロック５ａの列を変更する、ブロック替えを行う場合には、前記直角走行レーン６１を走行することになる。例えば、列Ｈで荷役作業を行っていたヤードクレーン８が列Ｇに移動する場合には、直角走行レーン６１を走行する。このとき、コンテナブロック５ａの蔵置していない直角走行レーン６１までヤードクレーン８が移動したならば、前記タイヤ８ａの回転軸を、鉛直方向の軸を中心としてほぼ９０°回動させて、タイヤ８ａの向きを変更する。これにより、ヤードクレーン８は直角走行することができるようになり、直角走行レーン６１を走行してブロック替えを行う。この直角走行の際に、コンテナブロック５ａの側方に位置している直角走行レーン６１を走行する場合には、該直角走行レーン６１が進入レーン２７、３３と退出レーン２８、３４よりも外側に配設されているから、ヤードクレーン８が該直角走行レーン６１に至るまでの間に、これら進入レーン２７、３３または退出レーン２８、３４を横切ることになる。しかし、直角走行レーン６１に達して、該直角走行レーン６１を走行している間は、前記進入レーン２７、３３や退出レーン２８、３４を走行する構内シャシ７ａの障害となることがない。なお、ヤードクレーン８が進入レーン２７、３３または退出レーン２８、３４を横切る場合には、構内シャシ７ａを停止するよう制御する。【００５０】  また、ヤードクレーン８がコンテナブロック５ａの端部に蔵置されているコンテナ５を積み込んだり、該蔵置位置にコンテナ５を積み卸したりする際には、コンテナブロック５ａの端部を跨いだ位置に位置するが、この端部に配設されているコンテナ５は、このコンテナターミナル１で扱うことになるコンテナ５のうちの最長のものとされている。このため、ヤードクレーン８が該コンテナ５を跨いで���置した状態であっても、該ヤードクレーン８の一部がコンテナ５の側方から突出することがない。したがって、岸壁回りルートの進入レーン２７をコンテナブロック５ａに十分に接近させることができる。【００５１】  また、以上に説明したコンテナターミナルにおけるコンテナブロックの配置や蔵置レーンの配置など各種設備の配置構造は一例であって、これらの配置はコンテナターミナルに応じて種々のものがあり、コンテナターミナルのコンテナブロックの配置や蔵置レーンの配置等に対応させて本発明に係る設備の配置構造を実施する。
【産業上の利用可能性】
【００５２】  この発明に係るコンテナヤードにおける設備の配置構造によれば、構内シャシの走行レーンを極力コンテナブロックに接近させて設けられると共に、構内シャシとヤードクレーンとの干渉が極力回避される。このため、特に既設のコンテナターミナルに無人運転システムを導入する場合のスペース効率の低下を極力抑制できる。したがって、既存の施設への無人運転システムの導入の促進に寄与できる。
【図面の簡単な説明】
【００５３】
【図１】この発明に係る設備の配置構造を備えたコンテナヤードの概略の平面図で、図３の一部を拡大して示している。
【図２】図１に示すコンテナヤードの一部を拡大して示す図で、コンテナブロックの端部を示している。
【図３】この発明に係る設備の配置構造を備えたコンテナターミナルの一例を示す概略の平面図である。
【図４】コンテナヤードにおけるコンテナの積み込み、積み卸しに供されるヤードクレーンを説明する正面図である。
【図５】スイッチングエリアにおけるコンテナの積み込み、積み卸しに供されるコンテナ移載機である受け渡しクレーンを説明する正面図である。
【符号の説明】
【００５４】１      コンテナターミナル
２      コンテナ船
４      岸壁用クレーン
５      コンテナ
５ａ    コンテナブロック
５ｂ    非蔵置部
６      コンテナヤード
６ａ    蔵置エリア
６ｂ    受け渡しエリア
６１    直角走行レーン
７ａ    構内シャシ
７ｂ    外来シャシ
８      ヤードクレーン
８ａ    タイヤ
２０    フェンス
２１    スイッチングエリア
２１ｉ  搬入エリア
２１ｏ  搬出エリア
２３    受け渡しクレーン
２６    船荷レーン
２７    進入レーン
２８    退出レーン
３１    蔵置レーン
３２    受け渡しレーン
３３    進入レーン
３４    退出レーン
３６    逆走レーン
３７    スイッチバックエリア
３７ａ  反転エリア
【図１】
2006282386.tif 000003
【図２】
2006282386.tif 000004
【図３】
2006282386.tif 000005
【図４】
2006282386.tif 000006
【図５】
2006282386.tif 000007